(57)【要約】【課題】  手軽に脱臭効果を発揮し、しかも脱臭効果が劣化しにくい送風機構を提供する。【解決手段】  本考案の送風機構は、脱臭機能を有するものであり、（１）構成する部品の一部又は全部に、粉末状の天然鉱物を含み、前記粉末状の天然鉱物は、天然放射線による電離促進効果を発揮するウラン又はトリウムを含むか、（２）構成する部品の一部又は全部に、塗料が塗布されており、前記塗料は、天然放射線による電離促進効果を発揮するウラン又はトリウムを含む粉末状の天然鉱物を含むか、（３）構成する部品の一部に、防臭シールが貼り付けられており、前記防臭シールは、天然放射線による電離促進効果を発揮するウラン又はトリウムを含む粉末状の天然鉱物が付着されている。【選択図】  図１
0003223578.tif 000002
【実用新案登録請求の範囲】
【請求項１】
脱臭機能を有する送風機構であって、
前記送風機構を構成する部品の一部又は全部に、粉末状の天然鉱物を含み、
前記粉末状の天然鉱物は、天然放射線による電離促進効果を発揮するウラン又はトリウムを含む、送風機構。
【請求項２】
脱臭機能を有する送風機構であって、
前記送風機構を構成する部品の一部又は全部に、塗料が塗布されており、
前記塗料は、天然放射線による電離促進効果を発揮するウラン又はトリウムを含む粉末状の天然鉱物を含む、送風機構。
【請求項３】
脱臭機能を有する送風機構であって、
前記送風機構を構成する部品の一部に、防臭シールが貼り付けられており、
前記防臭シールは、天然放射線による電離促進効果を発揮するウラン又はトリウムを含む粉末状の天然鉱物が付着されている、送風機構。
【考案の詳細な説明】
【技術分野】
【０００１】
本考案は、防臭機能付き送風機構に関し、より詳細には、自動車内、室内、冷蔵庫内等の密閉可能な空間を効果的に脱臭できる送風機構に関する。
【背景技術】
【０００２】
厚生労働省「国民健康・栄養調査結果の概要」によると、現在習慣的に喫煙している人の割合は、男性３０．２％、女性８．２％となっており、喫煙者の割合は人口の約４分の１程度になっている。非喫煙者は喫煙者の煙草の匂いに敏感であり、喫煙者が近くで煙草を吸っていると、その匂いを不快に感じることがあるし、喫煙者が煙草を吸った室内に非喫煙者が入った場合でも非喫煙者は不快に感じてしまう。
【０００３】
煙草には、アンモニア、タール、アセトアルデヒド等の有害成分に加えて、硫化水素、ニコチン、窒素化合物等の成分が含まれている。密閉空間で喫煙者が煙草を吸うと、上述の成分が混ざり合って密閉空間内の各所に吸着されるので、この煙草の匂いを脱臭することは困難である。
【０００４】
煙草の匂いを効果的に除去する方法を開示する文献として、例えば特許文献１（特開２００９−２５０４６３号公報）には、室内空間に浮遊する埃や煙草などの汚染物質を洗浄する空気清浄機が開示されている。特許文献１に開示の空気清浄機は、室内空気のホコリや花粉を除去するための集塵フィルタと、部屋の臭気を取る脱臭フィルタとを備え、ファンを設けることにより、部屋の空気を循環させることで汚染空気を清浄化することができる。
【０００５】
また、上記の煙草の悪臭は従来から問題視されてきたところではあるが、近年新たに問題視されている匂いとして、柔軟剤や洗剤、香水等の人工的に作り上げられた香りが挙げられる。これらの匂いは、ほどよく香る程度であれば、好意的に受け取られることもあるが、匂いが過剰である場合は「香害」と呼ばれて社会問題化しつつある。「香害」に悩まされる人は、香りに含まれる化学物質によってめまいや吐き気、思考力の低下を引き起こしてしまい、この状況が行き過ぎると、化学物質過敏症を引き起こす可能性もある。
【０００６】
上述の柔軟剤や洗剤、香水は、体臭や動物臭をごまかすために使用されることも多いので、これらの香りを全く使用しなければ香害自体を解消することはできるが、もともとの匂いを誤魔化すことができなくなってしまうため匂いに関する問題を完全に払拭できるわけではない。このような状況から、現在求められている匂いは、万人受けするような特定の良い香りというよりはむしろ、匂いが全くしない完全なる無臭状態と言える。
【０００７】
無臭状態を作り出す技術を開示する文献として、例えば特許文献２（特開２０１７−７５０６８号）には、断面の一端から他端まで達する貫通孔を有する円筒形状の活性炭が開示されている。特許文献２に開示の活性炭を用いることにより、匂い分子を活性炭の表面に吸着させることができ、無臭状態を作り出すことが可能となる。
【先行技術文献】
【特許文献】
【０００８】
【特許文献１】特開２００９−２５０４６３号公報
【特許文献２】特開２０１７−０７５０６８号公報
【考案の概要】
【考案が解決しようとする課題】
【０００９】
しかしながら、特許文献１に開示の空気清浄機は大型であるため、自動車の車内のように設置スペースが限られている場合には設置が困難である。また特許文献１に開示の空気清浄機は、一定期間使用することで脱臭フィルタの交換の必要に迫られるため、フィルタ交換の手間が煩わしい。また、特許文献２に開示の活性炭は、匂い分子の吸着能力が必ずしも強くなく、脱臭効果を感じにくい。しかも、匂い分子が活性炭の表面に吸着すると脱臭機能が徐々に低下するため、活性炭の脱臭機能を回復させる作業を毎月行わなければならないことが煩わしく、メンテナンスに多額の費用と手間がかかってしまう。このため、自動車の用途では、アロマ系の消臭剤が市場を席巻している状況にある。このようなアロマ系の消臭剤は、人によって好みも大きく異なるので、好みと異なるアロマ系の消臭剤を自動車内で使用された場合は上述の香害の原因となる。
【００１０】
本考案は、上記の問題を解決するためになされたものであり、その目的とするところは手軽に脱臭効果を発揮し、しかも脱臭効果が劣化しにくい送風機構を提供するところにある。
【課題を解決するための手段】
【００１１】
上記目的を達成するために、本考案の送風機構は、脱臭機能を有するものであって、前記送風機構を構成する部品の一部又は全部に、粉末状の天然鉱物を含み、前記粉末状の天然鉱物は、天然放射線による電離促進効果を発揮するウラン又はトリウムを含むことを特徴とする。
【００１２】
本考案の別の脱臭機能を有する送風機構は、前記送風機構を構成する部品の一部又は全部に、塗料が塗布されており、前記塗料は、天然放射線による電離促進効果を発揮するウラン又はトリウムを含む粉末状の天然鉱物を含むことを特徴とする。
【００１３】
本考案のさらに別の脱臭機能を有する送風機構は、前記送風機構を構成する部品の一部に、防臭シールが貼り付けられており、前記防臭シールは、天然放射線による電離促進効果を発揮するウラン又はトリウムを含む粉末状の天然鉱物が付着されていることを特徴とする。
【図面の簡単な説明】
【００１４】
【図１】本考案の実施形態１の送風機構の概略を示す斜視図である。
【図２】本考案の実施形態３の送風機構の概略を示す斜視図である。
【図３】本考案の送風機構の一例を示す斜視図である。
【考案を実施するための形態】
【００１５】
以下において、図面を参照しながら本考案の好ましい実施形態の特徴及び構造を説明する。
【００１６】
＜実施形態１＞
図１は、本考案の実施形態１の送風機構の概略を示す斜視図である。本実施形態の送風機構１は、図１に示すように、手持ち可能な小型扇風機である。この小型扇風機は、ユーザーが持つための持ち手部２と、持ち手部２に回動自在に設けられた送風部３と、送風部３に手が触れないように送風部３の外面を覆う外枠４と、送風部３を回動させる回動部５とを有している。
【００１７】
本実施形態の送風機構１において、送風部３又は外枠４を構成するプラスチック成分に粉末状の天然鉱物を含み、この粉末状の天然鉱物は、天然放射線による電離促進効果を発揮するウラン又はトリウムであることを特徴としている。このような機能を有するウラン又はトリウムを含む天然鉱物の粉末を含むことにより、送風機構１から天然放射線が放出され、悪臭の原因となるクラスター分子を分解してナノイオン化することができる。この天然鉱物の粉末により、喫煙で生じる煙草臭、犬や猫などのペットから生じる獣臭、尿臭、洗濯柔軟剤、香水、芳香剤等の匂い等のあらゆる種類の匂いを脱臭することができる。
【００１８】
ここで、送風部３又は外枠４に粉末状の天然鉱物を含有させる手法としては、送風部３又は外枠４を樹脂成型する前段階の樹脂成分に対して、粉末状の天然鉱物を混入させる方法が挙げられる。この方法を用いることにより、送風部３又は外枠４に対して均一に粉末状の天然鉱物を混入させることができる。ここで、樹脂成型に用いられる樹脂としては、ナイロン樹脂、ポリエチレン樹脂、ポリプロピレン樹脂、ポリブチレン樹脂、ポリエステル樹脂、ポリウレタン樹脂、ポリアクリル樹脂、スチレンブタジエン樹脂、ビニル樹脂、ポリカーボネート樹脂、ポリスルホン樹脂、ポリエーテルスルホン樹脂、ポリビニルブチラル樹脂、ポリビニルホルマル樹脂、ポリ酢酸ビニル樹脂、ポリスチレン樹脂、スチレンジビニルベンゼン樹脂、フッ素樹脂、アクリル樹脂、シリコン樹脂、エポキシ樹脂、アミノ樹脂及びフェノール樹脂からなる群より選択される１種以上であるが、それらに限定されるものではない。また、送風部３又は外枠４の素材として、アルミニウム、窒化アルミニウム、窒化珪素、炭化珪素及び金属酸化物から選択される少なくとも１種のセラミックスを用いる場合は、当該セラミックスを成型する段階で粉末状の天然鉱物を混入させることが好ましい。また、上記の粉末状の天然鉱物以外の成分として着色剤等の添加剤を混入することもできる。
【００１９】
本考案者は、脱臭方法としてウラン又はトリウムを含む天然鉱物を利用することにより、当該天然鉱物から放射されるα線，β線，γ線などの照射を受けた有香気体がイオン対の生成や励起を起こし、その結果、ラジカルの生成やイオン−分子反応を通じた化学反応によって消臭作用を発揮することを見出した。ウラン又はトリウムを含む天然鉱物の粉末の平均粒子径は特に限定されないが、０．１μｍ以上１０μｍ以下であることが好ましく、より好ましくは１μｍ以上８μｍ以下であり、さらに好ましくは２μｍ以上５μｍ以下である。
【００２０】
ここで、本実施形態では、送風部３及び外枠４の両方に粉末状の天然鉱物が含まれている場合を説明しているが、効果的に脱臭効果を発揮させるという観点からは、送風機構１における送風方向の通過位置となる部位に粉末状の天然鉱物が好ましく、このような観点を考慮すると、回動部５に粉末状の天然鉱物が含まれていてもよいし、送風部３又は外枠４のいずれか一方に粉末状の天然鉱物が含まれているだけでも差し支えない。一方、持ち手部２に粉末状の天然鉱物が含まれていても、この部分は送風機構１が発生させる風向きとは異なるため脱臭効果は得られにくい。もちろん、送風機構１を構成する全部の部品が粉末状の天然鉱物を含んでいてもよい。
【００２１】
ここで用いられるウラン又はトリウムを含む天然鉱物としては、炭酸水酸燐灰石、緑鉛鉱、藍鉄鉱、モナザイト、トルコクオイゼ、アンブルゴ石、バリッシャー石、ラブドフェーン、燐灰ウラン石、燐銅ウラン石、燐重土ウラン石、燐アルミウラン石、砒銅ウラン石、ベゼリ石及びゼノタイムからなる群より選択される１種以上が好ましい。中でも、鉱物として、モナザイト、燐灰石、フッ素燐灰石、塩素燐灰石、水酸燐灰石又は炭酸フッ素燐灰石を用いることがより好ましく、さらに好ましくは、モナザイト鉱石、燐灰石、フッ素燐灰石、麦飯石又は北投石である。
【００２２】
さらに、送風部３又は外枠４に光触媒物質が含まれることが好ましい。光触媒物質を含むことにより、悪臭の原因となる分子の分解速度を向上することができる。すなわち、モナザイト鉱石から放射されるα線，β線，γ線など放射線と有香気体との相互作用により産出されるイオンやラジカル分子を選択的に一方向に化学変化をさせることで、有香気体を速やかに無香気体に変換することができる。このためには、α線，β線，γ線などの放射線と有香気体との衝突により生成されたイオン又はラジカルの近傍に光触媒物質があればよいと考えられる。光触媒物質がイオン捕捉剤やラジカル捕捉剤の如き役割を果たすことで、当該光触媒物質が有する活性や反応選択性により化学反応を促進する方向に導くことが可能と考えられる。ここで、光触媒物質としては、酸化チタンが好ましく、必要に応じて、白金、パラジウム、ラジウム、イットリウム、ロジウム、ルテニウムなどの白金族金属の酸化物などを用いることもできる。このような光触媒物質を含むことにより、上述の鉱石の粉末により電離効果と相俟って悪臭の原因となる分子を強力に分解することが可能となる。光触媒物質の平均粒子径は特に限定されないが、０．１μｍ以上１０μｍ以下であることが好ましく、より好ましくは１μｍ以上８μｍ以下である。
【００２３】
本考案の送風機構１は、モナザイト鉱石の粉末による天然放射線の電離促進効果、並びに、光触媒の触媒機能による脱臭効果を得ているため、従来の脱臭フィルタのように目詰まりの懸念がなく、交換不要で長期に亘って防臭効果を発揮し得るというメリットがある。このため、本実施形態の送風機構１は、半永久的な脱臭効果持続期間を有し、耐久性能に優れるので、従来の脱臭剤と比べて交換回数を顕著に減らすことができ、ランニングコストを低減することが可能となる。また本実施形態の送風機構１は、図１に示すように、手持ち可能な脱臭機能付き扇風機なので、狭い空間でも簡単に持ち運んで使用することができる。これにより本人が異臭を感じるいかなる場所でも他者を気にすることなく脱臭することができる。
【００２４】
＜実施形態２＞
本実施形態は、実施形態１に対して、粉末状の天然鉱物を含有せしめる方法が異なる他は実施形態１と同様のものである。実施形態１と実施形態２とで外観上の差異はないため、本実施形態の図面は省略する。実施形態１では、送風機構１を構成する部品の一部又は全部に粉末状の天然鉱物を含有させることによって脱臭効果を発揮させていたが、本実施形態では、送風機構１を構成する部品の一部又は全部に、塗料が塗布されており、当該塗料が天然放射線による電離促進効果を発揮するウラン又はトリウムを含む粉末状の天然鉱物を含むことを特徴としている。
【００２５】
本実施形態のように粉末状の天然鉱物を含む塗料を送風機構１に塗布し、乾燥させることによっても送風機構１に脱臭機能を追加することができる。この方法を用いることで、もともとは脱臭機能を有さない送風機構１に対しても脱臭機能を付与することができるという利点がある。ここで用いる塗料としては、水系アクリル塗料、水系アルキドーポリエステル塗料、水系ポリウレタン塗料、水系フッ素樹脂塗料、水系エポキシ塗料及びシリコーン変性アクリル塗料からなる群より選択される１種以上の塗料である。これらの塗料に対して、上述のウラン又はトリウムを含む粉末状の天然鉱物及び光触媒物質を含むことに加え、着色剤、染料、印刷用インク、熱可塑性樹脂、熱硬化性樹脂等の各種添加剤を適宜添加してもよい。これらの添加剤を添加することにより、送風機構１の色合いを調整することができるし、その他の必要な機能を追加することができる。
【００２６】
上記塗料に含まれる固形分のうちのモナザイト鉱石の粉末が占める割合は、１％以上３０％以下であることが好ましく、より好ましくは２％以上２０％以下であり、さらに好ましくは３％以上１０％以下である。このような固形分濃度でモナザイト鉱石の粉末を含むことにより悪臭の原因となる分子を効果的に分解することが可能となる。
【００２７】
ここでの塗膜の厚みは、特に限定されないが、０．１ｍｍ以上１ｍｍ以下であることが好ましく、より好ましくは０．２ｍｍ以上０．８ｍｍ以下である。このような厚みとすることによりモナザイト鉱石の粉末の脱臭機能を効果的に発揮することが可能となる。塗膜の厚みを薄くしすぎると、モナザイト鉱石の粉末が表面に露出して手触り感が低下するため好ましくない。逆に、手触り感が要求されない形態においては塗膜の厚みを限りなく小さくすることができる。取り扱いの簡便性を向上するという意味で、適度な厚みの塗膜を形成することが好ましい。
【００２８】
＜実施形態３＞
図２は、実施形態３の送風機構の概略を示す斜視図である。本実施形態は、図２に示すように、実施形態１に対して、粉末状の天然鉱物を含有せしめる方法が異なる他は実施形態１と同様のものである。すなわち、実施形態１では、送風機構を構成する部品の一部又は全部に粉末状の天然鉱物を含有させることによって脱臭効果を発揮させていたが、本実施形態では、送風機構１を構成する部品の一部に、防臭シール６が貼り付けられており、当該防臭シール６が天然放射線による電離促進効果を発揮するウラン又はトリウムを含む粉末状の天然鉱物が付着されていることを特徴としている。
【００２９】
本実施形態では、図２に示すように、送風部３を構成する羽根にそれぞれ１枚ずつ合計３枚の防臭シール６が貼り付けられている。防臭シール６の大きさは、用途に応じて適宜変更可能であるため特に限定されないが、例えば１ｃｍ×６ｃｍの長方形状のシールであることが好ましい。このような形状とすることで、送風機構１の送風機能を阻害することなく、脱臭機能を得ることができる。このように防臭シール６を貼り付けることにより、送風機構１に対して簡便に脱臭機能を追加することができる。防臭シール６の枚数及び形状は特に限定されないが、防臭シール６の装着面積に比例して脱臭効果を高めることができること。送風部３を構成する羽根の表裏のいずれか一方の面に貼り付けてもよいし、送風部３を構成する羽根の表裏の両面に貼り付けてもよい。なお、ここでの送風部３を構成する羽根とは、旋風扇、シロッコ扇、送風ルーバーも含む。
【００３０】
（使用形態）
実施形態１〜３では、送風機構として小型扇風機の場合を例として説明したが、例えば図３に示すような通常の扇風機にも本考案を適用することも可能である。通常の扇風機に対して脱臭機能を付与する場合も、上述の実施形態１〜３の３種類の方法を用いることができ、すなわち、扇風機を構成する部品そのものに粉末状の天然鉱物を含有させるか、扇風機を構成する部品に対し、粉末状の天然鉱物を含有した塗料を塗布するか、扇風機を構成する部品に対し、粉末状の天然鉱物を含有した防臭シールを貼り付けるかのいずれかの方法を用いることができる。また、送風機構としては、扇風機に限られず、室内エアコン、冷蔵庫の野菜室の通気口、カーエアコン等に対しても脱臭機能を付与することができる。
【００３１】
特に、カーエアコンに対して脱臭機能を付与することにより、ウラン又はトリウムを含む天然鉱物がクラスター分子を分解し、活性化した小分子とすることができる。これによりスピーカから伝わる振動を歪みなく運転手に伝えることができる。これにより車内空間でのラジオやステレオの音質がよりクリアになり、アコースティックな音響環境を実現可能となる。しかも、流体中のクラスター分子が単体の小分子に変換されることで熱変換効率が向上し、より高速な温度調整が可能となるため高い省エネ効果が得られる。さらに、防臭シート化物１に付着されたウラン又はトリウムを含む天然鉱物から発せられる低線量放射線によりナノメートルサイズのウイルスや病原菌を被曝させて壊滅させることができる。
【００３２】
上記説明は、本考案の好ましい実施形態を説明したものに過ぎず、本明細書及び実用新案登録請求の範囲に適用される他の均等な構造的変更についても本考案の範囲に含まれるものとする。
【符号の説明】
【００３３】
１  送風機構
２  持ち手
３  送風部
４  外枠
５  回動部
６  防臭シール
【図１】
0003223578.tif 000003
【図２】
0003223578.tif 000004
【図３】
0003223578.tif 000005